(57)【要約】 【課題】背もたれ側方に配したマッサージ部材が梱包サイズや視界の点で問題を招くことが少ないものとする。【解決手段】人体背面のマッサージ用のマッサージ機構を背もたれ１に配したマッサージ機において、上記背もたれ１の両側部に背もたれの前方側に突出するマッサージ部材１５，１６を備えるとともに、人体の上部側面のマッサージ用で空気の給排気によって膨張収縮する上記マッサージ部材１５，１６は、背もたれ１前方への突出量が上部よりも下方側が大となっている。【選択図】図１
2011067457.tif 000002
【特許請求の範囲】
【請求項１】
人体背面のマッサージ用のマッサージ機構を背もたれに配したマッサージ機において、上記背もたれの両側部に背もたれの前方側に突出するマッサージ部材を備えるとともに、人体の上部側面のマッサージ用で空気の給排気によって膨張収縮する上記マッサージ部材は、背もたれ前方への突出量が上部よりも下方側が大となっていることを特徴とするマッサージ機。
【請求項２】
背もたれがリクライニング自在であるとともに、上記マッサージ部材はリクライニング時におけるマッサージ部材の高さが背もたれ上端の高さ以下であることを特徴とする請求項１記載のマッサージ機。
【請求項３】
マッサージ部材は上下方向に並ぶ複数のエアバッグを備えるとともに、各エアバッグが個別に膨張収縮自在となっていることを特徴とする請求項１または２記載のマッサージ機。
【請求項４】
上記側壁は左右に回動可能で折り畳み自在となっていることを特徴とする請求項１〜３のいずれか１項に記載のマッサージ機。
【請求項５】
上記側壁は背もたれの上下方向にスライド自在となっていることを特徴とする請求項１〜４のいずれか１項に記載のマッサージ機。
【請求項６】
背もたれの両側面から側方へ張り出す張り出し部を背もたれと一体に設けるとともに該張り出し部の前面に背もたれ前方側に突出するマッサージ部材を設けていることを特徴とする請求項１〜５のいずれか１項に記載のマッサージ機。
【発明の詳細な説明】
【技術分野】
【０００１】
本発明は、マッサージ機、殊に椅子型のマッサージ機に関するものである。
【背景技術】
【０００２】
人体背面のマッサージ用のマッサージ機構を背もたれ内に配したマッサージ機において、背もたれの両側に背もたれの前面側に突出する側壁を設けて、これら側壁の内側面にエアバッグを配置することで、該エアバッグを膨張させることで、背もたれに持たれた人体の両側面、殊に肩付近をマッサージしたり、あるいは背もたれ内のマッサージ機構によるマッサージの際に人体が背もたれから浮いてしまうことを防ぐことができるようにしたものが特許文献１に示されている。
【先行技術文献】
【特許文献】
【０００３】
【特許文献１】特開２００５−１９２６０３号公報
【発明の概要】
【発明が解決しようとする課題】
【０００４】
ところで、上記マッサージ機を梱包する場合、側壁とエアバッグとからなるマッサージ部材は背もたれの前方側に突出しているために、梱包サイズが大きくなってしまう場合がある上に、背もたれにもたれてマッサージを受ける利用者にしてみれば、上記マッサージ部材が側方視界を遮る存在となってしまう。
【０００５】
本発明はこのような点に鑑みなされたものであって、背もたれ側方に配したマッサージ部材が梱包サイズや視界の点で問題を招くことが少ないマッサージ機を提供することを課題とするものである。
【課題を解決するための手段】
【０００６】
本発明は、人体背面のマッサージ用のマッサージ機構を背もたれに配したマッサージ機において、上記背もたれの両側部に背もたれの前方側に突出するマッサージ部材を備えるとともに、人体の上部側面のマッサージ用で空気の給排気によって膨張収縮する上記マッサージ部材は、背もたれ前方への突出量が上部よりも下方側が大となっていることに特徴を有している。
【０００７】
特に、上記背もたれがリクライニング自在であるとともに、上記マッサージ部材はリクライニング時におけるマッサージ部材の高さが背もたれ上端の高さ以下であることが好ましい。
【０００８】
またマッサージ部材は上下方向に並ぶ複数のエアバッグを備えるとともに、各エアバッグが個別に膨張収縮自在となっていることが好ましい。
【０００９】
上記側壁は左右に回動可能で折り畳み自在となっていたり、背もたれの上下方向にスライド自在となっていてもよい。
【００１０】
さらには、背もたれの両側面から側方へ張り出す張り出し部を背もたれと一体に設けるとともに該張り出し部の前面に背もたれ前方側に突出するマッサージ部材を設けたものとするのが好ましい。
【発明の効果】
【００１１】
本発明においては、マッサージ部材の存在により、本マッサージ機の利用者は、両側方から肩や腕をエアでマッサージしながらマッサージ機構による背面に対するマッサージを受けることができる上に、マッサージ部材によって背もたれから身体が浮くことを防いだ状態でマッサージ機構によるマッサージを受けることができるために、より高いマッサージ効果を得られるものであり、しかも背もたれの側方に配したマッサージ部材は背もたれ前方への突出量が上部よりも下方側が大となっているために、背もたれに持たれた人体の視界を側壁が遮ることが少なくなる上に、梱包時のサイズの低減に有利であり、殊に上部より下部の方が膨張量が大となるマッサージ部材とすることで、背が低くて小柄な人にも背が高くて大柄な人にもほぼ等しい強さのマッサージを行うことができる。
【００１２】
上記背もたれがリクライニング自在であるとともに、上記マッサージ部材はリクライニング時におけるマッサージ部材の高さが背もたれ上端の高さ以下であると、背もたれをリクライニングさせた状態で梱包を行う時、マッサージ部材が梱包サイズを大きくしてしまうことがないものである。
【００１３】
またマッサージ部材は上下方向に並ぶ複数のエアバッグを備えるとともに、各エアバッグが個別に膨張収縮自在となっていると、人体側面に対して多様なマッサージを行うことができる。
【００１４】
上記側壁は左右に回動可能で折り畳み自在となっていれば、必要に応じて折り畳むことで邪魔にならないようにすることができるとともに、梱包時のサイズを小さくすることについて有効であり、背もたれの上下方向にスライド自在となっていれば使用者の体格に合わせてスライドさせることで、使用者の好みの位置に配置することができる。
【００１５】
そして、背もたれの両側面から側方へ張り出す張り出し部を背もたれと一体に設けるとともに該張り出し部の前面に背もたれ前方側に突出するマッサージ部材を設けていると、マッサージ部材も背もたれと一体感のある存在となり、しかも張り出し部があるために、利用者の背の全体を背もたれで受けることができて、利用者はリラックスした状態でマッサージを受けることができる。
【図面の簡単な説明】
【００１６】
【図１】本発明の実施の形態の一例を示す斜視図である。
【図２】同上の斜視図である。
【図３】同上の側面図である。
【図４】同上のリクライニング時の側面図である。
【図５】他例の部分斜視図である。
【図６】さらに他例の部分斜視図である。
【図７】別の例の部分斜視図である。
【発明を実施するための形態】
【００１７】
本発明を実施の形態の一例に基づいて詳述すると、図示例の椅子型のマッサージ機は、リクライニング自在な背もたれ１内にマッサージ機構（図示せず）を配したもので、上記背もたれ１に加えて、座部２と座部２の両側に位置する肘掛け３，３、座部２の前端下方に配した足載せ台４、そして上記座部２が上面に配されているフレーム５とからなるもので、上記足載せ台４はフレーム５の前端側上部に軸支されて該軸を中心に回動自在となっており、該回動によって座部２の前方側にほぼ水平状態に位置させることができる。なお、図では左側の肘掛け３を省略している。
【００１８】
上記フレーム５内には、上記足載せ台４の回動駆動のためのユニットと、背もたれ１のリクライニング動作を担うリフトユニット５１に加えて、後述の各エアバッグへのエア供給用のエアポンプ及び弁が配設されている。図中５５はフレームカバーである。
【００１９】
上記背もたれ１は、図３に示すように、その下部が上記フレーム５の上部後端に軸５０によって支持されるとともに、その下端とフレーム５の上部前端との間に配したリフトユニット５１の伸縮によって軸５０を中心に回動することでリクライニング自在となっているもので、枠型をした背もたれフレーム１０に箱型の枠１１を被せ、更に枠１１を外皮１２で覆ったものとして形成されており、背もたれ１内に配された前記マッサージ機構は背もたれフレーム１０に沿って上下に移動自在なものとなっており、人体背面に対するマッサージは、上記枠１１の前面に設けられた開口部１３を通じて上記外皮１２ごしに施療子６を人体背面に接触させることで行う。
【００２０】
肘掛け３は、座部２の側方に配された側板３０と、側板３０の外面を覆うサイドカバー３１、側板３０の上面に被せられる肘掛け部３２、そして肘掛け部３２の上面に配した肘掛けカバー３３とからなるもので、肘掛けカバー３３はその前端側が肘掛け部３２に連結されているとともに肘掛け部３２との対向面にエアバッグ（図示せず）が配されており、肘掛け部３２上面と肘掛けカバー３３との間に腕を入れて上記エアバッグを膨張収縮させることで腕に対するマッサージを行うことができるものとなっている。
【００２１】
また、ここにおける肘掛け３は、図３及び図４に示すように、その側板３０の後端部が背もたれ１に軸３５で連結されているとともに、側板３０の前端部に軸３７で連結されたリンク３６が軸３８によって前記フレーム５に連結されたものとなっているために、背もたれ１のリクライニング動作に同期して上面の角度が変化する。ただし、図示例のものでは、背もたれ１の角度変化よりも、肘掛け３上面の角度変化の方を小さくしており、背もたれ１を起こした状態では背もたれ１前面と肘掛け３上面とがなす角度α１が１１５°であるのに対し、背もたれ１を最も寝かした状態では背もたれ１前面と肘掛け３上面とがなす角度α２が１６０°となるようにしている。
【００２２】
背もたれ１のみがリクライニングして肘掛け３が動かない場合と比較すると、背もたれ１を寝かせた時も肘掛け３上に腕をリラックスさせた状態で置いておくことができるものであり、また背もたれ１を寝かせた状態でも肘掛け３における上記エアバッグによるマッサージを腕（手首や手を含む）に対して行うことができるものである。
【００２３】
肘掛け３の内側面（座部２側の面）にはフレーム５に固定したサイドプレート６０を設けているとともに、サイドプレート６０の内側面にエアバッグ６１を配してある。このエアバッグ６１の膨張収縮によって、腰から大腿部の側面をマッサージあるいは固定することができるようになっている。
【００２４】
そして、ここにおける背もたれ１は、前記従来例と同様に前方側に突出する側壁１５を有して、該側壁１５の内側面にエアバッグ１６が配されることで、マッサージ部材が背もたれ１の両側上部に設けられているのであるが、上記側壁１５は、背もたれ１の側面に取り付けられたものではなく、背もたれ１の上部両側に側方に張り出した張り出し部１４，１４を設けて、この張り出し部１４の前面から側壁１５を前方へ突出させている。
【００２５】
上記張り出し部１４は、その上端が背もたれ１の上端に滑らかに繋がるとともに下方ほど側方への張り出しが大きくなっているもので、側壁１５も張り出し部１４の側縁に沿って設けているために、張り出し部１４側面の傾斜に合わせた傾きを持っている。しかも側壁１５の前方への突出量も、背もたれ１の上端側ではゼロで下方ほど大きくなる形状となっているために、この側壁１５は、背もたれ１と一体感のあるものとなっている。また、側壁１５の内側面に配したエアバッグ１６も、側壁１５と同様に下側ほど大きい三角形状の外形を持つものとしている。
【００２６】
このマッサージ機において、座部２に座って背もたれ１に背を預け、この状態で背もたれ１の側壁１５の内側に配したエアバッグ１６を膨張収縮させれば、肩から上腕にかけての人体側面をマッサージすることができる。また、エアバッグ１６を膨張させることで背もたれ１に対して人体を固定すれば、背もたれ１内に配したマッサージ機構が施療子で人体を背後から押す時、人体が背もたれ１から浮き上がることがないために、人体背面に対するマッサージを効果的に行うことができる。
【００２７】
加えるに、側壁１５は前述のように下側ほど横に広がる位置にあり、エアバッグ１６も側壁１５の内側面に沿った状態となっていることから、エアバッグ１６は人体側面の肩から上腕にかけての傾斜面を的確に押圧することができる。殊にエアバッグ１６は幅がある部分が大きく膨らむために、下方ほど大きく膨張することになり、上腕の上部側面にあるツボを効果的にマッサージすることができる。さらに利用者の座高が少々異なろうと、押圧が強くなりすぎたり弱くなりすぎたりすることもない。
【００２８】
なお、側壁１５を備えた張り出し部１４は、背もたれ１の上部のみに設けており、側壁１５もこの張り出し部１４の範囲内で設けている。このためにリクライニング動作させた時に肘掛け１に載せた腕に張り出し部１４や側壁１５が干渉してしまうことはない。また、背もたれ１の側面から側方に張り出し部１４を張り出しているとはいえ、この張り出し１４は、座部２の両側に配した肘掛け３，３よりも側方に突出するものではないために、梱包時のサイズが大きくなってしまうことはない。
【００２９】
背もたれ１をもっとも倒した時には、側壁１は背もたれ１の前面より高い位置にくることになるが、背もたれ１の上端部分とほぼ同一の高さ内に収まるようにしているために、この点においても梱包時のサイズが大きくなってしまうことはない。
【００３０】
図５に他例を示す。外観的には上記実施例と同じであるが、ここでは張り出し部１４から前方に向けて突出させた側壁１５を外側方がわに回動させることで畳むことができるようにしている。なお、前方側に突出した状態を保つためのロック（図示せず）を設けているために、エアバッグ１６を膨張させた時に側壁１５が畳まれてしまうことはない。
【００３１】
このように畳むことができるようにしておくことで、エアバッグ１６によるマッサージあるいは身体の固定を必要としない時、背もたれ１に持たれている人体が側壁１５によって圧迫感を感じてしまうことがないようにすることができる。また、背もたれ１前面側への突出量をほぼゼロにすることができるために、この前方への突出が梱包時のサイズを大きくしてしまうことになる場合、側壁５を畳むことで梱包時のサイズを小さく保つことができる。
【００３２】
図６に示すものは、張り出し部１４に対して前方に突出している部分である側壁１５を上下にスライドさせてその位置を変更することができるようにしたものである。使用者の体格に合わせてスライドさせて体格に合わせることができる。
【００３３】
図７は、側壁１５の内側面に上下に並ぶ複数個のエアバッグ１６を配置するとともに、これら各エアバッグ１６を個別に膨張収縮させることができるようにしたものを示している。各エアバッグ１６の膨張収縮を制御することにより、人体側面に対するマッサージを多様なものとすることができる。
【符号の説明】
【００３４】
１  背もたれ
３  肘掛け
１４  張り出し部
１５  側壁
１６  エアバッグ
【図１】
2011067457.tif 000003
【図２】
2011067457.tif 000004
【図３】
2011067457.tif 000005
【図４】
2011067457.tif 000006
【図５】
2011067457.tif 000007
【図６】
2011067457.tif 000008
【図７】
2011067457.tif 000009